(57)【要約】【課題】複数のボルト締め端子を１カ所のアースポイントに積層固定するために用いる積層連結具を提供する。【解決手段】ボルト貫通用の中央穴を設けた環状の下段部材と上段部材とを上下に組み合わせ、前記下段部材の上面と前記上段部材の下面とに周方向に一定の角度で上下段差部を設け、該下段部材の上面の上下段差部と上段部材の下面の上下段差部を接合して組みつけた状態で、周方向に一定間隔をあけると共に前記ボルト締め端子の電気接触部の厚さと対応する寸法で上下高さを相違させた複数の端子挿通空間を設け、かつ、該端子挿通空間の外周側開口に近接した位置に、ボルト締め端子の電線接続部の後端に当たる位置の被係止部に係止する係止突起を設けている。【選択図】図６
2017027807.tif 000002
【特許請求の範囲】
【請求項１】
中央にボルト穴を設けた電気接触部に電線接続部を連続させたボルト締め端子を上下に積層保持する積層連結具であって、ボルト貫通用の中央穴を設けた環状の下段部材と上段部材からなり、
前記下段部材の中央穴を囲む環状部の上面に周方向に一定の角度で上下段差部を設け、隣接する段差面の高さを前記ボルト締め端子の厚さ寸法に相当する寸法で相違させる一方、
前記上段部材の中央穴を囲む環状部に周方向に一定間隔をあけて外周面に開口する電線接続部挿入穴を設け、該上段部材の環状部の下面に前記下段部材の上面の上下段差部に対応させて周方向に上下段差部を設け、かつ、前記電線接続部挿入穴の下面は前記下段部材の上面と端子挿通空間をあけた位置となる段部とし、該段部に挟まれた部分に前記下段部材の上面に当接させる突出部を設け、かつ、前記各電線接続部挿入穴の開口に近接する両側面に前記ボルト締め端子の電線接続部の基板上面から突出するバレル加締め部または溶接部の後端に当たる被係止部に係止する係止突起を設け、
前記下段部材の上面の上下段差部に前記上段部材の下面の上下段差部の各突出部を当接させて重ねた状態で、周方向に間隔をあけて形成される前記端子挿通空間の上下高さが相違し、各端子挿通空間に挿入する前記ボルト締め端子の電気接触部が前記中央穴に上下に積層した状態で、該ボルト締め端子の前記被係止部に前記係止突起を係止する構成としているボルト締め端子の積層連結具。
【請求項２】
前記積層連結具で上下積層するボルト締め端子はアース端子で、車体パネルにボルト締結でアース接続され、
前記下段部材の底面から係止脚を突設し、前記車体パネルのボルト穴の周縁に設けた係止穴に前記係止脚を挿入係止する構成としている請求項１に記載のボルト締め端子の積層連結具。
【発明の詳細な説明】
【技術分野】
【０００１】
本発明はボルト締め端子の積層連結具および該積層連結具を用いたボルト締め端子の積層固定構造に関し、詳しくは、アース端子等として汎用されているボルト締め端子を１カ所に積層し、ボルトを用いて車体等に締結固定するものである。
【背景技術】
【０００２】
従来、アース端子等として用いる複数のボルト締め端子を１カ所に重ねて固定するため、図９に示す接続端子の回り止め構造が特開２００２−５０４１７号公報で提供されている。該構造では複数のボルト締め端子１００Ａと１００Ｂを１８０度位相させて積層し、その上面に回り止め本体１１０を重ね、該回り止め本体１１０に突設する回り止めピン１２０をボルト締め端子１００Ａ、１００Ｂの両側面に当接させて位置決め保持して、固定材１２３に設けた嵌合凹部１２２に嵌合係止している。該固定材１２３にネジ穴１２４ｈを設けた取付ボス１２４を突設し、積層するボルト締め端子１００Ａ、１００Ｂのボルト穴に上方から通したボルト１５０をネジ込み、取付ボス１２４にボルト締め端子１００Ａと１００Ｂを電線同士が重なることなく積層固定している。
【０００３】
また、特開平８−７９４２号公報では、図１０に示す四角形状としたアース端子２００を用い、集合端子２０１の両側に蛇腹状に上下段で設けたＵ字溝２０２、２０３に複数枚のアース端子２００をそれぞれ挿入しながら上下配置し、ボルト２０５を積層しているアース端子２００のボルト穴２００ｈおよび集合端子２０１の下端連結部の中央に設けたボルト穴２０１ｈに挿入して車体のボルト穴に締結している。
【先行技術文献】
【特許文献】
【０００４】
【特許文献１】特開２００２−５０４１７号公報
【特許文献２】特開平８−７９４２号公報
【発明の概要】
【発明が解決しようとする課題】
【０００５】
特許文献１のボルト締め端子の積層構造では、端子とボルト以外に、回り止め本体１１０および長さの相違する複数本の回り止めピン１２０、これら複数の回り止めピン１２０の下端をそれぞれ嵌合係止する複数の嵌合凹部１２２を固定材１２３に設ける必要がある。このように、端子とボルト以外の別部品が必要になる。固定材１２３を車体パネルとすると、車体パネルに嵌合凹部を設ける必要があると共にネジ穴を設けた取付ボスを突設する必要があり、車体パネル側の加工数が増加する問題がある。
【０００６】
特に、ボルト締め端子をアース端子として用い、積層して車体パネルに一括固定する場合、自動車組立ラインにおいて、車体パネルからなる固定材の取付ボス上に複数のアース端子を積層し、其の上面に回り止め本体を搭載すると共に回り止めピンをアース端子の両面に接触配置する組付作業を行う必要があり、自動車組立ラインでの作業が繁雑になる問題がある。
【０００７】
また、特許文献２も複雑な形状の集合端子２０１が必要となり、コスト高になる。かつ、集合端子２０１に積層して取り付けるアース端子２００は、図１０（Ｂ）に示すように、集合する電線の方向が同一方向に特定され、かつ、異なるアース端子２００に接続する電線が上下に重なって干渉し、アース端子と電線の圧着部が接触して損傷を受ける恐れがある。
【０００８】
本発明は前記問題に鑑みてなされたもので、アース端子等として用いられるボルト締め端子の電線接続部が上下に干渉されることなく配置でき、かつ、車体固定前に予め上下積層配置しておくこと及び積層連結具を用いてボルト締結前にボルト締め端子を車体に仮固定できるようにして、車体パネル等への固定作業を簡単にすることを課題としている。
【課題を解決するための手段】
【０００９】
前記課題を解決するため、本発明は、
中央にボルト穴を設けた電気接触部に電線接続部を連続させたボルト締め端子を上下に積層保持する積層連結具であって、ボルト貫通用の中央穴を設けた環状の下段部材と上段部材からなり、
前記下段部材の中央穴を囲む環状部の上面に周方向に一定の角度で上下段差部を設け、隣接する段差面の高さを前記ボルト締め端子の厚さ寸法に相当する寸法で相違させる一方、
前記上段部材の中央穴を囲む環状部に周方向に一定間隔をあけて外周面に開口する電線接続部挿入穴を設け、該上段部材の環状部の下面に前記下段部材の上面の上下段差部に対応させて周方向に上下段差部を設け、かつ、前記電線接続部挿入穴の下面は前記下段部材の上面と端子挿通空間をあけた位置となる段部とし、該段部に挟まれた部分に前記下段部材の上面に当接させる突出部を設け、かつ、前記各電線接続部挿入穴の開口に近接する両側面に前記ボルト締め端子の電線接続部の基板上面から突出するバレル加締め部または溶接部の後端に当たる被係止部に係止する係止突起を設け、
前記下段部材の上面の上下段差部に前記上段部材の下面の上下段差部の各突出部を当接させて重ねた状態で、周方向に間隔をあけて形成される前記端子挿通空間の上下高さが相違し、各端子挿通空間に挿入する前記ボルト締め端子の電気接触部が前記中央穴に上下に積層した状態で、該ボルト締め端子の前記被係止部に前記係止突起を係止する構成としているボルト締め端子の積層連結具を提供している。
【００１０】
前記のように、本発明の積層連結具は、ボルト貫通用の中央穴を設けた環状の下段部材と上段部材とを上下に組み合わせて形成してなり、
前記中央穴を囲む環状の下段部材の上面と前記上段部材の下面とに周方向に一定の角度で上下段差部を設け、該下段部材の上面の上下段差部と上段部材の下面の上下段差部を接合して組みつけた状態で、周方向に一定間隔をあけると共に前記ボルト締め端子の電気接触部の厚さと対応する寸法で上下高さを相違させた複数の端子挿通空間を設け、
前記端子挿通空間は前記上段部材に設ける電線接続部挿入穴と、該電線接続部挿入穴の下部に連続する前記下段部材に設ける幅広の電気接触部挿通部とからなり、
前記電線接続部挿通穴と電気接触部挿通部の外周面は開口とし、かつ、前記電線接続部挿通穴の外周側開口の両側面から前記ボルト締め端子の電線接続部の基板上面から突出するバレル加締め部または溶接部の後端に当たる被係止部に係止する係止突起を設け、
前記下段部材の電気接触部挿通部の内周を開口として前記中央穴に連通させ、
複数の前記端子挿通空間に前記ボルト締め端子を挿入し、前記中央穴に上下に積層した状態で、該ボルト締め端子の前記被係止部に前記係止突起が係止する構成としている。
【００１１】
前記のように、本発明の積層連結具は、前記端子挿通空間を周方向に一定間隔をあけて複数個設けている。９０度間隔をあけた場合には、電線端末に接続した４個のボルト締め端子を９０度間隔をあけた４方向から挿入して中央で上下に重ねるようにしている。６０度間隔をあけて６個設けた場合には、６本の電線を６方向から配線して中央で重ね、さらに、４５度間隔をあけて８個設けた場合には、８本の電線を８方向から配線して中央に重ねるようにしており、隣接するボルト締め端子の電線接続部が上下に重ならない範囲で多数設けることができる。
このように、ボルト締め端子の電線接続部が重ならないようにできるため、ボルトによる締結時に着座不良、接触不良およびボルトの緩み発生を防止できる。
【００１２】
前記ボルト締め端子は、円板の中央にボルト穴を設けた電気接触部を有する汎用のボルト締め端子で、該電気接触部に連続する電線接続部は電線と端子のバレルを加締め圧着または溶接（抵抗溶接又は超音波溶接）のいずれかで接続するタイプとしている。
前記上段部材および下段部材は円環形状とし、上下に重ねた状態で連結保持する結合手段を設けている。該結合手段として、ロック爪を上段部材に設け、該ロック爪が挿入係止するロック枠を下段部材に設けることが好ましい。
【００１３】
また、前記積層連結具で上下積層するボルト締め端子がアース端子で、車体パネルにボルト締結でアース接続する場合、
前記下段部材の底面から係止脚を突設し、前記車体パネルのボルト穴の周縁に設けた係止穴に前記係止脚を挿入係止する構成とすることが好ましい。
【００１４】
さらに、本発明は前記積層連結具を用いたボルト締め端子の積層保持方法として、
前記上段部材と下段部材とを結合して形成する各端子挿通空間の下面に電線端末に接続したボルト締め端子を沿わせて前記電気接触部より挿入し、該ボルト締め端子の突出した前記被係止部の両側に前記係止突起を係止して、電線接続部に連続する電気接触部を前記上段部材の中央穴に突出させ、該電線端末のボルト締め端子を周方向に位相させて前記中央穴内に前記電気接触部を上下に積層すると共に、前記電線接続部および接続する電線を周方向に重ならないように位相させた状態で保持する積層連結具を用いたボルト締め端子の積層保持方法を提供している。
【００１５】
また、前記ボルト締め端子を車両に配線するアース線の端末に接続するアース端子として用い、積層する前記ボルト締め端子を前記積層連結具に挿入保持しておき、
車体パネル等の接地部材に設けたボルト穴に前記積層連結具で保持したアース端子のボルト穴を連通させ、ボルトを通して前記接地部材にナットで締結することが好ましい。
なお、本発明のボルト締め端子はアース端子としての使用に限定されず、電源線用の端子として用いることもできる。
【００１６】
前記のように、複数枚のボルト締め端子を積層して車体パネル等の固定材にボルトで締結固定する際、予め積層連結具で複数のボルト締め端子を位置決め保持できる。よって、車両組立ラインで、アース端子を予め保持した積層連結具を車体パネルのアースポイントに設置し、該積層連結具で積層保持されたボルト締め端子のボルト穴にボルトを通してナットと締結するだけでよいため、作業手数を大幅に簡素化できる。
なお、車両組み立てラインで、他のワイヤハーネスの電線端末のアース端子を前記積層連結具で積層保持して組み立てても良いことは言うまでもない。
【００１７】
また、前記積層連結具の下段部材の底面に係止脚を突設し、車体パネルに設けた係止穴に挿入係止すると、複数のアース端子を積層保持した状態で車体パネルのアースポイントにワンタッチで設置することができる。
【発明の効果】
【００１８】
前記のように、本発明では、アース端子等として用いるボルト締め端子を積層保持する積層連結具は、特殊な端子ではなく汎用されているボルト締め端子を用いるためコスト低下を図ることができ、かつ、所定角度間隔をあけて隣接するボルト締め端子の電線接続部が上下に干渉されない位置に保持して積層できるため、ボルトによる締結時に着座不良、接触不良およびボルトの緩み発生を防止できる。さらに、該積層状態で被固定材の車体等の所定位置に搬送設置でき、車体に固定する自動車組立ラインでの作業性を高めることができる。  
【図面の簡単な説明】
【００１９】
【図１】本発明の実施形態のボルト締め端子からなるアース端子を積層保持する積層連結具を示し、（Ａ）は分解斜視図、（Ｂ）組みつけた状態の斜視図、（Ｃ）は（Ｂ）の正面図である。
【図２】環状の積層連結具を展開させた状態で示す正面図である。
【図３】ボルト締め端子に電線を接続した状態を示し、（Ａ）は平面図、（Ｂ）は正面図である。
【図４】前記電線に接続したボルト締め端子を積層連結具に取り付けた状態を示し、（Ａ）は一部平面図、（Ｂ）は（Ａ）のＢ−Ｂ線断面図である。
【図５】電線端末に接続したボルト締め端子を前記積層連結具に取り付ける方法を示す平面図である。
【図６】前記積層連結具にボルト締め端子を取り付けた状態を示す平面図である。
【図７】前記積層連結具で積層保持したボルト締め端子を車体パネルにボルト締めしている状態を示す断面図である。
【図８】（Ａ）（Ｂ）は第２実施形態を示す概略図である。
【図９】従来例を示す斜視図である。
【図１０】（Ａ）（Ｂ）は他の従来例を示す斜視図である。
【発明を実施するための形態】
【００２０】
以下、本発明の実施形態を図面を参照して説明する。
図１乃至図７に第１実施形態を示す。
第１実施形態では、図３に示すボルト締め端子からなる４個のアース端子１（１Ａ〜１Ｄ）をそれぞれ電線２０の端末に圧着接続し、これら４個のアース端子１Ａ〜１Ｄを図１に示す樹脂製の積層連結具１０で積層保持している。
【００２１】
使用するボルト締め端子からなる前記アース端子１は汎用されている端子で、図３に示すように、円板１ａの中央にボルト穴１ｈを設けた電気接触部２に、電線接続部３の長方形状の基板１ｂを連続させ、該基板１ｂの幅方向両側から芯線バレル１ｃを突設している。電線２０の端末で皮剥ぎして露出させた芯線２０ａに芯線バレル１ｃを加締め圧着して、電線２０とアース端子１を接続している。芯線バレル１ｃによる芯線加締め部３ａは電気接触部２より上方に膨らみ、該芯線加締め部３ａの両側後端を積層連結具１０で係止される被係止部３ｄとしている。
【００２２】
前記積層連結具１０は、円環形状の下段部材１１と上段部材１５とからなり、下段部材１１の上面に上段部材１５を重ね、該下段部材１１と上段部材１５の間にアース端子１の電線接続部３の芯線加締め部３ａより前部の所謂首下部分３ｋを挟んで位置決め保持し、該状態で円環形状の積層連結具１０の外周から電線２０が図６に示すように放射状に引き出されるようにしている。
【００２３】
下段部材１１は図１および図２に示すように、円形の中央穴１２を囲む円環部１３の下面１３ｓは平坦面とすると共に、円環部１３の上面に周方向に一定の周角度（本実施形態では９０度）で４つの上下段差部１４ａ〜１４ｄを設けている。これら上下段差部１４ａ〜１４ｃの境界は垂直面１４ｆとしている。隣接する上下段差部１４ａと１４ｂ、１４ｂと１４ｃ、１４ｃと１４ｄの境界の垂直面１４ｆはボルト締め端子１の厚さ寸法（ｔ）に相当する寸法とし、隣接する上下段差部を寸法（ｔ）で相違させている。最低位置の上下段差部１４ａと最高位置の上下段差部１４ｄの境界の垂直面１４ｇの寸法は（３ｔ）としている。
【００２４】
前記上段部材１５の円形の中央穴１６は下段部材１１の中央穴１２と同形とすると共に、上段部材１５は下段部材１１と外径も同等とし、下段部材１１の上面に上段部材１５を重ねた状態で、図１（Ｂ）に示すように円筒形状としている。
【００２５】
上段部材１５の中央穴１６を囲む円環部１７に、外周面に開口する電線接続部挿入穴１８を９０度間隔をあけた４個設けている。該電線接続部挿入穴１８の外周面の開口１８ａに近接した位置の両側面に、互いに近接する方向に突出するＶ状の係止部１９を設けている。該係止部１９は開口１８ａに向けて外広がりとなり、アース端子１の芯線加締め部３ａの挿入を容易とすると共に、開口１８ａの幅が広がる方向に撓むことができるようにしている。該両側の係止部１９をアース端子１の芯線加締め部３ａが押し広げて通過した後に、係止部１９は自動復帰して、芯線加締め部３ａの後端の被係止部３ｄに係止するものとしている。該電線接続部挿入穴１８の奥端の内周側は閉鎖面１８ｅとし、中央穴１６との間に環状に連続する挟持部１７ａを設けている。前記電線接続部挿入穴１８に芯線加締め部３ａが位置すると、該芯線加締め部３ａより先端側の首下部分３ｋが前記挟持部１７ａの下面と下段部材１１の上面とで挟持され、ボルト穴１ｈを設けた電気接触部２が中央穴１６内に位置するようにしている。
【００２６】
さらに、上段部材１５の円環部１７の底面は下段部材１１の上面の上下段差部１４ａ〜１４ｄに対応させて周方向に上下段差部を設けている。かつ、上段部材１５の外周に設けた４個の開口１８ａを挟む周方向の両側の底面は、前記下段部材１１の上面と端子挿通空間２２（２２ａ〜２２ｄ）をあけた位置となる段部２１とし、周方向に隣接する段部２１に挟まれた部分に下段部材１１の上面に当接させる突出部２３を設けている。これにより、各端子挿通空間２２（２２ａ〜２２ｄ）は上段部材１５の電線接続部挿入穴１８の下部に下段部材１１の上面に沿って内外周面に開口する電気接触部挿通部２４が連続する構成としている。
【００２７】
図１（Ｃ）および展開形状とした図２に示すように、下段部材１１の上面の上下段差部１４ａ〜１４ｄに上段部材１５の下面の突出部２３を当接させて重ねた状態で、周方向に間隔をあけて形成される４つの端子挿通空間２２（２２ａ〜２２ｄ）の上下高さを、アース端子１の電気接触部２の厚さと対応する寸法（ｔ）で相違させている。各端子挿通空間２２ａ〜２２ｄに挿入するアース端子１（１Ａ〜１Ｄ）の電気接触部２が中央穴１２、１６に上下に積層した状態で位置し、係止部１９により被係止部３ｄが係止した状態で保持できる構成としている。
【００２８】
下段部材１１に上段部材１５を重ねて組み合わせる積層連結具１０には、前記のように、端子挿通空間２２（２２ａ〜２２ｄ）を、周方向に９０度間隔をあけて４個設けており、４本の電線２０の各端末に接続する４枚のアース端子１Ａ〜１Ｄを９０度間隔をあけた４方向から配線して中央で上下に重ねるようにしている。
【００２９】
前記上段部材１５と下段部材１１の外周面に設けたロック爪とロック枠（図示せず）を結合して積層連結具１０を組み立てた後に、上段部材１５と下段部材１１の間に形成される４つの端子挿通空間２２（２２ａ〜２２ｄ）にそれぞれ電線２０の端末に圧着したアース端子１Ａ〜１Ｄを挿入して取り付けている。
【００３０】
４本の電線２０の端末に加締め圧着したアース端子１Ａ〜１Ｄを積層連結具１０に予め取りつけて仮保持した状態で、車体パネルのアースポイントにボルトで締結固定する方法について、図５〜図７を参照して説明する。
【００３１】
図５で四角囲みした数字１、２、３、４に示す順序で、積層連結具１０にアース端子１Ａ、１Ｂ、１Ｃ、１Ｄを下段から順次上段へと取り付ける。積層連結具１０は下段部材１１の上面に上段部材１５を重ねてロック結合して組み立てている。
【００３２】
具体的には、積層連結具１０の最下段に位置する端子挿通空間２２ａにアース端子１Ａを挿入し、電線接続部３の被係止部３ｄの両側に係止部１９を係止し、開口１８ａに芯線加締め部３ａを位置させ、首下部分３ｋを挟持部１７ａの下面に位置させて下段部材１１の上面との間に挟持し、電気接触部２を中央穴１６内に位置させて配置する。
ついで、端子挿通空間２２ｂにアース端子１Ｂを前記と同様に挿入して係止部１９でアース端子１Ｂを係止して、中央穴１６内においてアース端子１Ｂの電気接触部２をアース端子１Ａの電気接触部２の上面に位置させる。この状態で、アース端子１Ａと１Ｂの電気接触部２、２は上下に重なるが電線接続部３は９０度間隔をあけた位置で、上下方向で干渉することはない。
ついで、端子挿通空間２２ｃにアース端子１Ｃを前記と同様に挿入して係止部１９でアース端子１Ｃを係止し、中央穴１６内においてアース端子１Ｂの電気接触部２の上面にアース端子１Ｃの電気接触部２を位置させる。
最後に、最上段の端子挿通空間２２ｄにアース端子１Ｄを前記と同様に挿入して係止部１９でアース端子１Ｄを係止して、中央穴１６内においてアース端子１Ｃの電気接触部２の上面にアース端子１Ｄの電気接触部２を位置させる。
これにより、図６に示すように、４枚のアース端子１Ａ〜１Ｄの電気接触部２は中央穴１６内に下位置から順次上位置に重なった状態で保持される。
【００３３】
この状態で自動車組立ラインに搬送し、図７に示すように、車体パネル３０のボルト穴３１を設けたアースポイントに、積層連結具１０の下段部材１１の下面１３ｓを載置し、上下に積層したアース端子１Ａ〜１Ｄのボルト穴１ｈをボルト穴３１に合わせる。
この状態で、上方から汎用のボルト３３を積層したアース端子１Ａ〜１Ｄのボルト穴１ｈに挿入していき、車体パネル３０のボルト穴３１を通し、車体パネル３０の下面のボルト穴周縁に溶接しているナット３２に締結する。
これにより、４本の電線２０の端末に接続した４枚のアース端子１Ａ〜１Ｄをボルト３３とナット３２を用いて車体パネル３０に接続して、アース処理する。
【００３４】
前記のように、積層連結具１０に９０度間隔をあけてアース端子１Ａ〜１Ｄを取り付けた状態で、これらアース端子１Ａ〜１Ｄの電気接触部２を中央で上下に積層し、該電気接触部２のボルト穴１ｈを上下に連通させた状態で積層連結具１０で保持することができる。この状態で、自動車組立ラインで車体パネル３０のアースポイントに積層連結具１０を設置し、ボルト３３で締結すれば良いだけであるため、作業手数を大幅に簡素化できる。かつ、アース端子１は、円板の中央にボルト穴１ｈを設けた電気接触部２を有する汎用のボルト締め端子を用い、特殊な端子ではないため、コスト低下を図ることができる。
【００３５】
なお、自動車組立ラインで他のワイヤハーネスの電線端末に取り付けたアース端子を前記積層連結具で積層する場合、空いている電線挿通空間に前記他のワイヤハーネスのアース端子を挿入係止して、先入れしているアース端子の電気接触部と積層すればよく、車体パネルに一括で固定することもできる。
【００３６】
図８に第２実施形態を示す。
第２実施形態では、図８（Ａ）に示すように、積層連結具１０の下段部材１１の下面から一対の係止脚５０、５０を突設し、車体パネル３０のボルト穴３１に近接して設けた係止穴５１に挿入係止している。このように、係止脚５０を係止穴５１に挿入係止する構成とすると、積層連結具１０を所定位置に精度良く設置できる。
【００３７】
また、図８（Ｂ）に示すように、アース端子１は電線接続部３に芯線バレルと絶縁被覆バレル１ｚを設け、絶縁被覆バレル１ｚにより芯線加締め部３ａの後部に絶縁被覆加締め部３ｅを設けている。該絶縁被覆加締め部３ｅの後端両側を被係止部３ｄとし、上段部材の係止部１９を係止するものとしている。
他の構成および作用効果は第１実施形態と同様であるため、説明を省略する。
【００３８】
本発明は前記実施形態に限定されず、ボルト締め端子の電線接続部は電線と溶接してもよいし、電気接触部は円形以外に四角形状としてもよい。
また、積層連結具には周方向に所定間隔をあけて、６個、８個等の端子挿通空間を設け、６本、８本の電線端末のボルト締め端子を積層連結できるものとしてもよい。さらに、アース端子以外に電源端子として用いることもできる。
【符号の説明】
【００３９】
１（１Ａ〜１Ｄ）  アース端子（ボルト締め端子）
１ｈ  ボルト穴
１ｃ  芯線バレル
２  電気接触部
３  電線接続部
３ａ  芯線加締め部
３ｄ  被係止部
１０  積層連結具
１１  下段部材
１２、１６  中央穴
１４ａ〜１４ｄ  上下段差部
１５  上段部材
１８  電線接続部挿入穴
１８ａ  開口
１９  係止部
２０  電線
２１  段部
２２（２２ａ〜２２ｄ）  端子挿通空間
２３  突出部
３０  車体パネル
３１  ボルト穴
３２  ナット
３３  ボルト
【図１】
2017027807.tif 000003
【図２】
2017027807.tif 000004
【図３】
2017027807.tif 000005
【図４】
2017027807.tif 000006
【図５】
2017027807.tif 000007
【図６】
2017027807.tif 000008
【図７】
2017027807.tif 000009
【図８】
2017027807.tif 000010
【図９】
2017027807.tif 000011
【図１０】
2017027807.tif 000012